(57)【要約】      （修正有）【課題】接続線の引き出し方向も覆われて異物や指が入り込まない構造の端子板を提供する。【解決手段】端子板本体２２に複数の結線ねじを整列して取り付ける。仕切壁２２ａは、整列した結線ねじの間で端子板本体２２から結線ねじの軸方向に沿って延在する。２つの保護壁２２ｃは、隣り合う２つの仕切壁の間に延在し、結線ねじを収容することのできる幅だけ離間して設けられる。結線ねじで接続される圧着端子７が挿入可能な形状の開口２４が、保護壁２２ｃの少なくとも一方に設けられる。仕切壁２２ａと保護壁２２ｃとにより結線ねじの各々を包囲する。【選択図】図４
2010218947.tif 000002
【特許請求の範囲】
【請求項１】
複数の接続ねじを整列して取り付け可能な端子板本体と、
整列した前記接続ねじの間で前記端子板本体から前記接続ねじの軸方向に沿って延在する仕切壁と、
隣り合う２つの前記仕切壁の間に延在し、前記接続ねじを収容することのできる幅だけ離間して設けられる２つの保護壁と、
前記保護壁の少なくとも一方に設けられ、前記結線ねじで接続される圧着端子が挿入可能な形状の開口と
を有し、
前記仕切壁と前記保護壁とにより前記結線ねじの各々を包囲する端子板。
【請求項２】
請求項１記載の端子板であって、
前記仕切壁と前記保護壁は、前記端子板本体の一部として一体的に形成されている端子板。
【請求項３】
請求項１又は２記載の端子板であって、
前記開口は、前記圧着端子の先端の平坦な部分の形状に対応したスリットと、前記圧着端子の根本の部分の形状に対応した切欠き部とが組み合わされた形状である端子板。
【発明の詳細な説明】
【技術分野】
【０００１】
本発明は圧着端子を接続するために用いられる端子板に関する。
【背景技術】
【０００２】
比較的大型の電子機器には、外部から電源供給が行なわれて動作するような電子機器がある。このような外部からの電源供給を必要とする電子機器には、外部からの電力供給のための接続端子やコネクタが設けられることが多い。接続端子やコネクタとして端子板（端子盤あるいは端子台と称されることもある）を用いることが一般的である。
【０００３】
例えば通信事業者向けの通信機器には、外部直流電源から電力の供給を受けて動作する機器が多い。このような通信機器には電源供給用ケーブルを接続するために端子板が設けられる。すなわち、外部直流電源からの電源ケーブルの先端に圧着端子が接続され、圧着端子が端子板にねじ止めされて通信機器の電源回路に接続される。
【０００４】
図１は端子板の斜視図であり、図２は端子板の断面図である。図２の断面図は圧着端子がねじ止めされた部分を示している。
【０００５】
図１及び図２に示す端子板１は、端子板本体２と、端子板本体２にねじ込まれる複数の結線ねじ３と、結線ねじ３を覆うように設けられる保護カバー４とを有する。複数の結線ねじ３は一列に整列した状態で端子板本体２にねじ込まれる。隣り合う結線ねじ３の間には、仕切壁２ａが延在し、結線ねじ３の各々を隔離している。保護カバー４は、異物や指先が結線ねじ３に容易に接触できないように結線ねじ３の上側を覆う板状の部材であり、その両端部が取り付けねじ５により端子板本体２に取り付けられる。保護カバー４は、内部の結線ねじ３の状態を視認できるように、例えばアクリル板のような透明な板材で形成されることが多い。
【０００６】
図２を参照すると、外部装置からの接続線６の先端に圧着端子７が接続され、圧着端子７が結線ねじ３により端子板本体２のねじ部２ｂにねじ止めされる。ねじ部２ｂにおいて結線ねじ３が取り付けられた部分の反対側には、結線ねじ３と同様な結線ねじ８が取り付けられる。図２には示されていないが、端子板１が設けられた機器の電気回路に接続された接続線が結線ねじ８により端子板本体２のねじ部２ｂに取り付けられる。これにより、結線ねじ３で接続された外部装置からの接続線６と機器内部からの接続線とが電気的に接続される。外部装置が外部電源装置であって接続線６が電源供給線である場合、端子板１を介して外部電源装置からの電力が機器の電源回路に供給される。
【０００７】
ここで、図１に示すように結線ねじ３の上側及び整列方向の横側は保護カバー４及び仕切板２ａで覆われており、結線ねじ３に異物や指先が接触しないような構造となっている。ところが、結線ねじ３の横側で接続線６が引き出される方向は大きく開口された状態となっており、開口部分に異物や指先が入ってしまうおそれがある。直流電源供給用の端子板は、大きな電流を供給するために接続端子が大きいため、上述の開口部分が大きくなってしまう。したがって、異物や指先が結線ねじ３まで容易に入って接触してしまい、短絡や感電の危険性がある。
【０００８】
そこで、端子板本体の上側を覆うための保護カバーに、接続線を引き出す方向も覆うような側板を設け、接続線の先端が通過できるような大きさの開口を側板に設けておくことで、接続線を引き出す方向から異物や指先が入りこめないような構造とすることが提案されている（例えば、特許文献１及び２参照。）。
【先行技術文献】
【特許文献】
【０００９】
【特許文献１】特開平１１−１８５８５１号公報
【特許文献２】実公平６−６４６４号公報
【発明の概要】
【発明が解決しようとする課題】
【００１０】
特許文献１及び２に開示された保護カバーは、保護カバーの上板に対して側板が直角方向に延在した複雑な形状となり、単なる平板である保護カバーよりも製造が難しくなる。また、保護カバーを取り付けた状態で結線ねじを締め付ける必要があるため、例えばドライバの先端が通過できるような開口を上板に設けて置く必要があり、この開口から異物が入り込むおそれがある。
【００１１】
ここで、接続線の先端の圧着端子を挿入して結線ねじを回して締め付ける際に、一方の手で接続線を保持しながら、もう一方の手でドライバを回すという作業が必要となるが、側板があると接続線の先端の圧着端子を適切な位置にうまく保持することが難しい。また、結線ねじをねじ込む際に、結線ねじがドライバの先端から外れてしまうと、結線ねじがねじ部から脱落して端子板中の活電部に接触し、短絡が生じる危険性がある。
【００１２】
したがって、接続線の引き出し方向も覆われて異物や指が入り込まない構造でありながら、結線ねじがねじ部から脱落しても他の位置に移動しないような構造の端子板の開発が望まれている。
【課題を解決するための手段】
【００１３】
一実施形態によれば、複数の接続ねじを整列して取り付け可能な端子板本体と、整列した接続ねじの間で端子板本体から接続ねじの軸方向に沿って延在する仕切壁と、隣り合う２つの仕切壁の間に延在し、接続ねじを収容することのできる幅だけ離間して設けられる２つの保護壁と、保護壁の少なくとも一方に設けられ、結線ねじで接続される圧着端子が挿入可能な形状の開口とを有し、仕切壁と保護壁とにより結線ねじの各々を包囲する端子板が提供される。
【発明の効果】
【００１４】
上述の端子板によれば、接続ねじがある部分に異物や指が入り込むことが防止され、且つ接続線を端子板に取り付ける際の作業性が向上する。
【図面の簡単な説明】
【００１５】
【図１】端子板の斜視図である。
【図２】端子板の断面図である。
【図３】第１実施形態による端子板が設けられた電源回路装置の斜視図である。
【図４】第１実施形態による端子板の斜視図である。
【図５】第１実施形態による端子板の断面図である。
【図６】第１実施形態による端子板の分解斜視図である。
【図７】第２実施形態による端子板の斜視図である。
【図８】第２実施形態による端子板の断面図である。
【図９】第３実施形態による端子板の斜視図である。
【図１０】第３実施形態による端子板の断面図である。
【図１１】第４実施形態による端子板の斜視図である。
【図１２】第４実施形態による端子板の断面図である。
【図１３】第５実施形態による端子板の斜視図である。
【図１４】第５実施形態による端子板の断面図である。
【発明を実施するための形態】
【００１６】
図３は第１実施形態による端子板が設けられた電源回路装置の斜視図である。電源回路装置１０は、外部電源装置（図示せず）から供給される電力を電子機器（図示せず）の内部の電気回路に供給するための装置である。
【００１７】
電源回路装置１０は外部電源装置からの電力供給線（電源ケーブル）が接続される端子板２０を有し、端子板２０が電子機器の外部に露出するように電子機器に組み込まれる。端子板２０が第１実施形態による端子板である。
【００１８】
ここで、第１実施形態による端子板２０について、図４乃至図６を参照しながら説明する。図４乃至図６において、図１に示す構成部品と同等な部品には同じ符号を付す。
【００１９】
図４に示す端子板２０は、端子板本体２２と、端子板本体２２にねじ込まれる複数の結線ねじ３と、結線ねじ３を覆うように設けられる保護カバー４とを有する。複数の結線ねじ３は一列に整列した状態で端子板本体２にねじ込まれる。隣り合う結線ねじ３の間には、仕切壁２２ａが結線ねじ３の軸方向に沿って延在し、結線ねじ３の各々を隔離している。保護カバー４は、結線ねじ３の上側を覆う板状の部材であり、その両端部が取り付けねじ５により端子板本体２２に取り付けられる。端子板本体２２は絶縁性が高く強度のある樹脂で形成される。保護カバー４は、内部の結線ねじ３の状態を視認できるように、例えばアクリル板のような透明な板材で形成される。
【００２０】
図５を参照すると、外部電源装置からの接続線６の先端に圧着端子７が接続され、圧着端子７が結線ねじ３により端子板本体２２のねじ部２２ｂにねじ止めされる。ねじ部２２ｂは結線ねじ３がねじ込まれるねじが形成された金属製の部品であり、端子板本体２２に組み込まれている（例えば、樹脂の一体成形で鋳込まれている）。
【００２１】
ねじ部２２ｂにおいて結線ねじ３が取り付けられた部分の反対側には、結線ねじ３と同様な結線ねじ８が取り付けられる。図５には示されていないが、端子板２０が設けられた電源回路装置１０の電気回路に接続された接続線が結線ねじ８により端子板本体２２のねじ部２２ｂに取り付けられる。これにより、結線ねじ３で接続された外部電源装置からの接続線６と電源回路装置１０内部からの接続線とが電気的に接続され、端子板２０を介して外部電源装置からの電力が電源回路装置１０の電源回路に供給される。
【００２２】
本実施形態では、接続線６が引き出される方向（両側）に保護壁２２ｃが設けられる。保護壁２２ｃは隣り合う仕切壁２２ａの間に延在し、接続ねじ３が収容できる程度の距離をおいて平行に延在している。２枚の仕切壁２２ａと２枚の保護壁２２ｃとで各結線ねじ３が包囲されている。保護壁２２ｃは仕切壁２２ａと同様に端子板本体２２と一体的に形成された部分であり、端子板本体２２の一部とみなすことができる。すなわち、仕切壁２２ａと保護壁２２ｃは、端子板本体２２を樹脂成形する際に同時に形成される部分であり、特に端子板本体２２を加工したり別部品を取り付けたりする必要はない。
【００２３】
ここで、保護壁２２ｃは接続線６が引き出される方向を覆うように設けられる。そのため、接続線６及びその先端に取り付けられた圧着端子７を保護壁２２ｃの内側に挿入することができるように、保護壁２２ｃに開口２４が設けられる。開口２４は、圧着端子７の形状に合ったスリット２４ａと、圧着端子７の根元部分の接続線６との接続部分の形状に合った切欠き部２４ｂとを組み合わせた形状の開口である。
【００２４】
なお、上述の保護カバー４は、仕切壁２２ａと保護壁２２ｃとで形成された空間の開口面を塞ぐように端子板本体２２に取り付けられる。
【００２５】
圧着端子７を端子本体２２に取る付ける際には、図６に示すように、まず保護カバー４を端子板本体２２から取り外し、接続すべき接続線６の先端に取り付けられた圧着端子７を保護壁２２ｃの開口２４を通してねじ部２２ｂの上に配置する。このとき、開口２４の形状寸法は圧着端子７の形状寸法より僅かに大きい程度であるため、圧着端子７は開口２４に挿入された状態で接続線６により僅かに傾いた状態となる。これにより、圧着端子７は開口２４と係合し、開口２４に挿入された状態に保持される。したがって、圧着端子７を開口２４に挿入したら、接続線６を手で保持する必要は無く、作業者は両手をねじ締め動作に使うことができる。
【００２６】
圧着端子７を開口２４に挿入して圧着端子７のねじ挿入穴をねじ部２２ｂの上に位置決めしたら、結線ねじ３を圧着端子７のねじ挿入穴を通してねじ部２２ｂにねじ込む。例えば、ドライバの先端に結線ねじ３を取り付けてから結線ねじ３をねじ部２２ｂにあてがい、結線ねじ３をドライバにより回してねじ部２２ｂにねじ込む。このとき、接続線６を手で保持する必要は無く、作業者は両手をねじ締め動作に使うことができるため、結線ねじ３の位置決めを確実に行うことができ、結線ねじ３を回してねじ込む作業を効率よく確実に行うことができる。したがって、端子板における配線接続作業の作業性を改善することができる。
【００２７】
また、結線ねじ３を圧着端子７のねじ挿入穴に位置決めする際に、例えばドライバから結線ねじ３が外れて脱落したような場合では、脱落した結線ねじ３は仕切壁２２ａと保護壁２２ｃとで囲まれた空間に入り込む。このため、脱落した結線ねじ３が端子板２０の、他の部分（特に活電部）に接触するおそれが無く、脱落した結線ねじ３による短絡を防止することができる。脱落した結線ねじ３が仕切壁２２ａと保護壁２２ｃとで囲まれた空間の外に出たとしても、他の接続部分も仕切壁２２ａと保護壁２２ｃとで囲まれているため、脱落した結線ねじ３が他の接続部分の空間に入り込む可能性は小さい。この点においても、脱落した結線ねじ３による短絡を防止することができる。
【００２８】
なお、本実施形態では、両側の保護壁２２ｃに開口２４を設けて、どちら側からでも接続線６を引き出せるようにしているが、必ずしも両側に開口２４を設ける必要はなく、保護壁２２ｃどちらか一方に開口２４を設けることとしてもより。この場合、接続線６を引き出す方向を予め決定しておく。また、保護壁２２ｃどちらか一方に開口２４を設けることとすれば、接続線６を引き出す方向を間違えないようにすることもできる。
【００２９】
次に、第２実施形態による端子板について、図７及び図８を参照しながら説明する。図７は第２実施形態による端子板の斜視図であり、図８は第２実施形態による端子板の断面図である。図７及び図８において、図４及び図５に示す構成部品と同等な部品には同じ符号を付し、その説明は適宜省略する。
【００３０】
図７に示す端子板３０において、端子板本体３２は、図４に示す端子板本体２２の仕切壁２２ａより高さが高くなった仕切壁３２ａと、同様に図４に示す端子板本体２２の保護壁２２ａより高さが高くなった保護壁３２ｃとを有する。ここで、高さとは結線ねじ３の挿入方向又は結線ねじ３の軸方向に沿った長さを意味する。より具体的には、保護壁３２ｃにおける開口３４より上の部分は、図４に示す端子板本体２２の保護壁２２ｃにおける開口２４より上の部分より長くなっている。仕切壁３２ａも保護壁３２ｃと同じ高さとなるように長くなっている。
【００３１】
仕切壁３２ａ及び保護壁３２ｃの高さを高くすることで、結線ねじ３は仕切壁３２ａ及び保護壁３２ｃにより囲まれた断面が四辺形の筒状の空間の奥に配置されることとなる。すなわち、仕切壁３２ａと保護壁３２ｃとで形成された空間の開口面から、当該空間内部に配置された結線ねじ３までの距離は、開口面から指が入って結線ねじ３まで届かないような距離となっている。したがって、筒状の空間の奥に配置された結線ねじ３の位置まで異物や指先が進入する可能性が少なくなり、結線ねじ３に異物や指先が接触して短絡や感電する可能性が低くなる。このため、本実施形態では端子板本体３２の上側を覆う保護カバーを設けなくてもよい。
【００３２】
次に、第３実施形態による端子板について、図９及び図１０を参照しながら説明する。図９は第３実施形態による端子板の斜視図であり、図１０は第３実施形態による端子板の断面図である。図９及び図１０において、図４及び図５に示す構成部品と同等な部品には同じ符号を付し、その説明は適宜省略する。
【００３３】
本実施形態による端子板４０では、片側の保護壁４２ｃ（端子板４０が取り付けられた位置において下側になる部分）の縁部に、結線ねじ３が配置される空間の内側に向けて吐出する突出部４６が形成されている。下側の保護壁４２ｃと当該保護壁４２ｃから内側に向けて（すなわち上方に）突出する突出部４６とにより受皿形状の部分が形成される。
【００３４】
この受皿形状の部分は、結線ねじ３を収容できるような大きさとする。例えば、結線ねじ３をねじ込む作業において結線ねじ３が不用意にドライバの先端から脱落したような場合、結線ねじ３は受皿形状の部分に受け止められ、仕切壁４２ａと保護壁４２ｃとで包囲された空間内に保持される。したがって、ドライバから脱落した結線ねじ３が端子板４０の外に落ちて紛失したり、ドライバから脱落した結線ねじ３が機器の活電部に接触して短絡するといった事故を防止することができる。
【００３５】
次に、第４実施形態による端子板について、図１１及び図１２を参照しながら説明する。図１１は第４実施形態による端子板の斜視図であり、図１２は第４実施形態による端子板の断面図である。図１１及び図１２において、図４及び図５に示す構成部品と同等な部品には同じ符号を付し、その説明は適宜省略する。
【００３６】
本実施形態による端子板５０では、端子板本体５２の保護壁５２ｃに設けられたたスリット５４ａの内面にテーパ面５６が形成されている。圧着端子７を開口５４に挿入する際に、圧着端子７の先端の平坦な部分がまずスリット５４ａに挿入される。このとき、圧着端子７の先端はテーパ面５６により誘導されてスムーズにスリット５４ａに入り込み、圧着端子７全体をスムーズに開口５４に挿入することができる。これにより、圧着端子７を端子板５０に接続する際の作業性が向上する。また、圧着端子７の先端はテーパ面５６により誘導されてスムーズにスリット５４ａに入り込むため、スリット５４ａの幅を狭くしておくことができる。スリット５４ａの幅を狭くすることにより、結線ねじ３を取り付ける前に圧着端子７が開口５４から外れて脱落することを防止することができる。
【００３７】
なお、上述の第１乃至第４実施形態の構造的特徴は適宜組み合わせて用いることもできる。上述の第１実施形態による端子板２０に、上述の第２乃至第４実施形態の構造的特徴を適宜加えることとしてもよい。例えば、第１実施形態による端子板２０において、第２実施形態のように仕切壁２２ａ及び保護壁２２ｃの長さを長くして保護カバー４を不要とし、且つ第４実施形態のように開口２４のスリット２４ａにテーパ面を設けて圧着端子７を誘導することとしてもよい。
【００３８】
次に、第５実施形態による端子板について、図１３及び図１４を参照しながら説明する。図１３は第５実施形態による端子板の斜視図であり、図１４は第５実施形態による端子板の断面図である。図１３及び図１４において、図４及び図５に示す構成部品と同等な部品には同じ符号を付し、その説明は適宜省略する。
【００３９】
本実施形態による端子板６０では、端子板本体６２に結線ねじ３が２列に整列して取り付けられる。２列の結線ねじ３のうち対応する位置の２つの結線ねじ３が、仕切壁６２ａと保護壁６２ｃとで包囲された空間に配置される。図１３及び図１４において２つの結線ねじ３のうち上側の結線ねじ３により接続された接続線６は、上側の保護壁６２ｃに設けられた開口６４を通じて引き出され、下側の結線ねじ３により接続された接続線６は、下側の保護壁６２ｃに設けられた開口６４を通じて引き出される。
【００４０】
なお、仕切壁６２ａと保護壁６２ｃとで包囲された空間に配置された２つの結線ねじ３の各々も隔離したい場合は、図１４において２点鎖線で示すように２つの結線ねじ３の間に仕切壁６２ｄを設けることとしてもよい。
【００４１】
本実施形態による端子板６０には、結線ねじ３が２列に配置されるので、同じ長さの端子板により多くの結線ねじ３を設けることができ、より多くの接続線６を接続することができる。
【００４２】
本実施形態による端子板６０に、上述の第２乃至第４実施形態の構造的特徴を適宜加えることとしてもよい。例えば、第２実施形態のように仕切壁６２ａ及び保護壁６２ｃの長さを長くして保護カバー４を不要としたり、第４実施形態のように開口６４のスリット６４ａにテーパ面を設けて圧着端子７を誘導することとしてもよい。
【００４３】
以上のように本明細書は以下の事項を開示する。
（付記１）
複数の接続ねじを整列して取り付け可能な端子板本体と、
整列した前記接続ねじの間で前記端子板本体から前記接続ねじの軸方向に沿って延在する仕切壁と、
隣り合う２つの前記仕切壁の間に延在し、前記接続ねじを収容することのできる幅だけ離間して設けられる２つの保護壁と、
前記保護壁の少なくとも一方に設けられ、前記結線ねじで接続される圧着端子が挿入可能な形状の開口と
を有し、
前記仕切壁と前記保護壁とにより前記結線ねじの各々を包囲する端子板。（１）
（付記２）
付記１記載の端子板であって、
前記仕切壁と前記保護壁は、前記端子板本体の一部として一体的に形成されている端子板。（２）
（付記３）
付記１又は２記載の端子板であって、
前記開口は、前記圧着端子の先端の平坦な部分の形状に対応したスリットと、前記圧着端子の根本の部分の形状に対応した切欠き部とが組み合わされた形状である端子板。（３）
（付記４）
付記３記載の端子板であって、
前記スリットにテーパ面が形成された端子板。
（付記５）
付記１乃至４のうちいずれか一項記載の端子板であって、
前記開口は前記２つの保護壁の各々に設けられた端子板。
（付記６）
付記１乃至５のうちいずれか一項記載の端子板であって、
前記仕切壁と前記保護壁とで形成された空間の開口面を塞ぐように前記端子板本体に取り付けられた保護カバーをさらに有する端子板。
（付記７）
付記１乃至５記載の端子板であって、
前記仕切壁と前記保護壁とで形成された空間の開口面から、該空間内部に配置された結線ねじまでの距離は、前記開口面から指が入って前記結線ねじまで届かないような距離である端子板。
（付記８）
付記１乃至７のうちいずれか一項記載の端子板であって、
前記仕切壁と前記保護壁とで形成された空間の開口面近傍において、前記空間の内側に突出する突出部が前記保護壁の上縁に形成された端子板。
（付記９）
付記１乃至８のうちいずれか一項記載の端子板であって、
前記結線ねじは２列に配列して前記端子板本体に取り付けられ、各列で同じ位置にある２つの前記結線ねじが前記仕切壁と前記保護壁とで包囲される端子板。
【符号の説明】
【００４４】
１，２０，３０，４０，５０，６０  端子板
２，２２，３２，４２，５２，６２  端子板本体
２ａ，２２ａ，３２ａ，４２ａ，５２ａ，６２ａ  仕切壁
２ｂ，２２ｂ，３２ｂ，４２ｂ，５２ｂ，６２ｂ  ねじ部
３  結線ねじ
４  保護カバー
５  取付けねじ
６  接続線
７  圧着端子
８  結線ねじ
１０  電源回路装置
２２ｃ，３２ｃ，４２ｃ，５２ｃ，６２ｃ  保護壁
２４，３４，４４，５４，６４  開口
２４ａ，３４ａ，４４ａ，５４ａ，６４ａ  スリット
２４ｂ，３４ｂ，４４ｂ，５４ｂ，６４ｂ  切欠き部
４６  突出部
５６  テーパ面
６２ｄ  仕切壁
【図１】
2010218947.tif 000003
【図２】
2010218947.tif 000004
【図３】
2010218947.tif 000005
【図４】
2010218947.tif 000006
【図５】
2010218947.tif 000007
【図６】
2010218947.tif 000008
【図７】
2010218947.tif 000009
【図８】
2010218947.tif 000010
【図９】
2010218947.tif 000011
【図１０】
2010218947.tif 000012
【図１１】
2010218947.tif 000013
【図１２】
2010218947.tif 000014
【図１３】
2010218947.tif 000015
【図１４】
2010218947.tif 000016